(57)【要約】    【課題】  メータ表示部表面の汚れ等によるメータ指示値の読み取りにくさ、目視確認のしにくさを簡便に解消でき、それにより正確かつ迅速に検針作業を行うことのできる、水道メータ検針棒を提供すること。    【解決手段】  水道メータ検針棒１は、一端側にはメータ桝蓋等を引っ掛けて開くためにテコとして使用できる蓋開閉用フック部２、他端側にはグリップ部３が備えられた棒体４からなり、棒体４に着脱自在の一または複数のメータ検針に便利な特定の機能を有する装着用部材９とを備えることを主たる構成とする。装着用部材９は、棒体４を把持するための把持部９Ａとこれに取着された機能部９Ｂとから構成する。【選択図】  図１
2006208059.tif 000002
【特許請求の範囲】
【請求項１】
水道メータの検針に用いるための水道メータ検針棒であって、該水道メータ検針棒は、一端側にはメータ桝蓋等を引っ掛けて開くためにテコとして使用できる蓋開閉用フック部が、また他端側にはグリップ部が備えられた棒体と、および該棒体に着脱自在の一または複数の装着用部材とからなることを特徴とする、水道メータ検針棒。
【請求項２】
前記装着用部材は、前記棒体を把持するための把持部と、これに取着された機能部とからなることを特徴とする、請求項１に記載の水道メータ検針棒。
【請求項３】
前記装着用部材として、水道メータ表面を拭くことのできるワイパー部材が含まれていることを特徴とする、請求項１または２に記載の水道メータ検針棒。
【請求項４】
前記装着用部材として、水道メータの表示を拡大して観察することのできる拡大鏡部材が含まれていることを特徴とする、請求項１または２に記載の水道メータ検針棒。
【請求項５】
前記装着用部材として、水道メータの表示読取りを容易化することのできる照明部材が含まれていることを特徴とする、請求項１または２に記載の水道メータ検針棒。
【請求項６】
水道メータの検針に用いるための水道メータ検針棒であって、該水道メータ検針棒は、一端側にはメータ桝蓋等を引っ掛けて開くためにテコとして使用できる蓋開閉用フック部が、また他端側にはグリップ部が備えられた棒体と、および該グリップ部を含む該棒体に着脱自在の、もしくは設けられた、音聴用耳当て部材とからなることを特徴とする、水道メータ検針棒。
【請求項７】
前記蓋開閉用フック部には、メータ桝蓋等の引っ掛かりをよくすることのできる凹凸構造が設けられていることを特徴とする、請求項１ないし６のいずれかに記載の水道メータ検針棒。
【請求項８】
前記水道メータ検針棒には、操作者が衣服に引っ掛けて携帯することができる携帯用フック部が設けられていることを特徴とする、請求項１ないし７のいずれかに記載の水道メータ検針棒。
【発明の詳細な説明】
【技術分野】
【０００１】
本発明は水道メータ検針棒に係り、特に、地中に設置されている水道メータの検針に際し、桝内のメータ指示値判読等を容易化して、検針作業を効率化することのできる、水道メータ検針棒に関する。
【背景技術】
【０００２】
水道メータ検針は、検針員が各家庭・事業所を巡回しながら、メータの指示値を読み取って行うものであり、具体的には、地中に設置されている水道メータの桝蓋を検針棒によって開き、中のメータの指示値を読み取るという作業を要する。メータ検針は水道使用料金算定の基礎となるため、迅速かつ正確な作業が求められる。なお、水道メータ検針にかかる技術としては、従来種々のものが考案されているが、後掲特許文献は、その一部である。
【０００３】
【特許文献１】特開2002-236045「量水器及びこの量水器を搭載した水道検針装置」
【特許文献２】特開平05-250582「水道メータ自動検針装置」
【特許文献３】実登3021538「水道メータ用無線検針装置」
【発明の開示】
【発明が解決しようとする課題】
【０００４】
しかし、メータ桝は防水構造ではないために雨水や泥水が流入し、水道メータ表示部表面には泥が付着しやすく、かかる場合は手を伸ばしてウェス等によって泥汚れを拭き取らねばならず、正確かつ迅速な検針作業に支障を来すという問題があった。
【０００５】
また、メータ２次側の給水装置における漏水調査法の一つとして、メータ表示部のパイロットランプの動作確認方法があるが、検針員は立ったままでこれを確認することは困難であり、メータに接近して目視確認しなくてはならない。また、メータが地表からある程度以上の深さの所に設置されている場合も同様であり、正確かつ迅速、効率的なな作業ができないという問題もあった。
【０００６】
また、寒冷地の冬期間においては、桝蓋の凍結が往々にして生じることがあり、この場合は従来の検針棒のみによる開蓋は困難であり、別途ハンマー等の道具の携帯が必要であった。
【０００７】
さらに、地中設置であるために水道メータ周囲は暗く、メータ指示値読取りのためには、別途懐中電灯等の照明器具を携帯し、これを用いなくてはならず、作業が繁雑、不便であり、迅速かつ正確な検針作業は困難であった。
【０００８】
加えて、水はけのよくない土地等では、水道メータは地中において水没していることもあり、このような場合は、暗さに加えて水没によりメータ指示値の見えにくさが増し、作業が繁雑、不便であり、迅速かつ正確な検針作業は困難であった。
【０００９】
つまり、水道メータの設置環境によって、上述のように、ａ．メータ表示部表面に泥が付着して読みにくい、ｂ．メータ表示部は地表からある程度の深さの所にあるため読み取りにくい、ｃ．蓋が凍結して開きにくい、ｄ．暗くて指示値が読み取りにくかったり、メータが水没していて読み取りにくい、といった問題の他にも、ｅ．メータ周囲の漏水調査の際には音聴用にしか使用することのできない音聴棒を別途携帯しなくてはならない、などといった種々の問題点や必要性があり、そのために検針員は、上述の懐中電灯等照明器具、排水のための柄杓、ハンマー等、多くの道具を携帯しなくてはならなかった。また、これらの道具を必要に応じ持ち替えつつ作業しなくてはならないため、検針作業は中断がちとなり、要求される迅速性を満足できないことが少なくなかった。
【００１０】
したがって、検針員が巡回しての検針作業を正確かつ迅速に行うにあたり、これらの問題点を解決できる、使用しやすい技術が求められるが、もとより前掲の特許文献にあるような考案が、かかる用途に適合するものでないことは明らかである。また、従来の検針棒は、単にメータ桝蓋を開閉するための機能しか備えていない。
【００１１】
本発明が解決しようとする課題は、上記従来技術の問題点を除き、メータ表示部表面の汚れ等によるメータ指示値の読み取りにくさ、目視確認のしにくさを簡便に解消でき、それにより正確かつ迅速に検針作業を行うことのできる、水道メータ検針棒を提供することである。また、冬期間に桝蓋が凍結した場合であっても容易に蓋を開けることができ、正確かつ迅速に検針作業を行うことのできる、水道メータ検針棒を提供することである。さらに、携帯しなくてはならない道具の量を軽減し、作業の迅速性、検針員の労力低減を実現することのできる、水道メータ検針棒を提供することである。
【課題を解決するための手段】
【００１２】
本願発明者は上記課題について検討した結果、従来の検針棒に、所定機能を有する部材を適宜着脱自在に備えることによって上記課題の解決が可能であることを見出し、本発明に至った。すなわち、上記課題を解決するための手段として本願で特許請求される発明、もしくは少なくとも開示される発明は、以下のとおりである。
【００１３】
（１）  水道メータの検針に用いるための水道メータ検針棒であって、該水道メータ検針棒は、一端側にはメータ桝蓋等を引っ掛けて開くためにテコとして使用できる蓋開閉用フック部が、また他端側にはグリップ部が備えられた棒体と、および該棒体に着脱自在の一または複数の装着用部材とからなることを特徴とする、水道メータ検針棒。
（２）  前記装着用部材は、前記棒体を把持するための把持部と、これに取着された機能部とからなることを特徴とする、（１）に記載の水道メータ検針棒。
（３）  前記装着用部材として、水道メータ表面を拭くことのできるワイパー部材が含まれていることを特徴とする、（１）または（２）に記載の水道メータ検針棒。
（４）  前記装着用部材として、水道メータの表示を拡大して観察することのできる拡大鏡部材が含まれていることを特徴とする、（１）または（２）に記載の水道メータ検針棒。
（５）  前記装着用部材として、水道メータの表示読取りを容易化することのできる照明部材が含まれていることを特徴とする、（１）または（２）に記載の水道メータ検針棒。
（６）  水道メータの検針に用いるための水道メータ検針棒であって、該水道メータ検針棒は、一端側にはメータ桝蓋等を引っ掛けて開くためにテコとして使用できる蓋開閉用フック部が、また他端側にはグリップ部が備えられた棒体と、および該グリップ部を含む該棒体に着脱自在の、もしくは設けられた、音聴用耳当て部材とからなることを特徴とする、水道メータ検針棒。
（７）  前記蓋開閉用フック部には、メータ桝蓋等の引っ掛かりをよくすることのできる凹凸構造が設けられていることを特徴とする、（１）ないし（６）のいずれかに記載の水道メータ検針棒。
（８）  前記水道メータ検針棒には、操作者が衣服に引っ掛けて携帯することができる携帯用フック部が設けられていることを特徴とする、（１）ないし（７）のいずれかに記載の水道メータ検針棒。
【発明の効果】
【００１４】
本発明の水道メータ検針棒は上述のように構成されるため、これによれば、メータ表示部表面の汚れ等によるメータ指示値の読み取りにくさ、目視確認のしにくさを簡便に解消でき、それにより正確かつ迅速、効率的に検針作業を行うことができる。
【００１５】
また、冬期間に桝蓋が凍結した場合であっても容易に蓋を開けることができ、正確かつ迅速に検針作業を行うことができる。さらに、携帯しなくてはならない道具の量を軽減し、作業の迅速性、検針員の労力低減を実現することができる。
【発明を実施するための最良の形態】
【００１６】
以下、本発明を図面により詳細に説明する。
図１は、本発明の水道メータ検針棒の基本的構成を示す概念図である。図示するように本水道メータ検針棒１は、水道メータの検針に用いるためのものであって、その一端側にはメータ桝蓋等を引っ掛けて開くためにテコとして使用できる蓋開閉用フック部２が、また他端側にはグリップ部３が備えられた棒体４からなり、さらに、該棒体４に着脱自在の一または複数の、メータ検針に便利な特定の機能を有する装着用部材９とを備えてなることを、主たる構成とする。該棒体４の断面形状は、特に限定されない。
【００１７】
かかる構成により本水道メータ検針棒１では、一または複数の、特定の機能を有する該装着用部材９を、必要に応じて該棒体４に装着したり取り外したりしながら、該装着用部材９を作用させて、読み取りにくいメータ指示値の読取りを支援し、メータ検針作業の効率化、迅速化、正確を図ることができる。すなわち本水道メータ検針棒１によれば、該蓋開閉用フック部２をテコとして用いての蓋の開き〜予め、または事後に装着された該装着用部材９による機能の発揮〜メータ指示値の読取り、という作業を一連のものとして行うことができ、作業効率が大いに向上する。
【００１８】
図示するように前記装着用部材９は、前記棒体４を把持するための把持部９Ａと、これに取着された機能部９Ｂとから構成するものとすることができる。該把持部９Ａにより、該棒体４の適宜の位置に装着用部材９を着脱でき、便宜である。該把持部９Ａは、たとえばクリップ状の構造により該棒体４を挟み込む構成や、バンド状の構造により該棒体４に締結する構成など、適宜の方法を用いることができ、本発明はかかる方法に限定されない。
【００１９】
図２は、本発明に係る装着部材の例を示す説明図である。図示するように該装着用部材としては、たとえば、
（Ｉ）水道メータ表面を拭くことのできるワイパー部材１９、
（II）水道メータの表示を拡大して観察することのできる拡大鏡部材２９、  
（III）水道メータの表示読取りを容易化することのできる照明部材５９、
を備えたものとすることができる。
【００２０】
図中（Ｉ）の前記ワイパー部材１９は、把持部１９Ａとワイパー１９Ｂとからなり、図示するように該ワイパー１９Ｂは、メータ表面の泥汚れを効果的に拭き取ることができるように、たとえばゴム製へら形状のものとすることができる。また該把持部１９Ａは、たとえば図示するような、弾性もしくは可撓性を有する材料により構成された湾曲板状のものとして、該棒体４にワンタッチで嵌め込み着脱可能な形態とすることもできる。また、該把持部１９Ａに取着される該ワイパー１９Ｂの向きを適宜調節できる構造とすることもできる。
【００２１】
該ワイパー部材１９は、不使用時には検針作業に支障のないような該棒体４中の上方位置に装着しておき、必要時には該棒体４の先端部など適当な位置に装着し、本水道メータ検針棒１を上下方向や左右方向などに適宜動かすことにより、メータ汚れの拭き取り作業をすることができる。
【００２２】
図中（II）の前記拡大鏡部材２９は、把持部２９Ａと拡大鏡２９Ｂとからなる。また該把持部２９Ａは、図示するようなクリップ式の他、上述のワンタッチ式、バンド式など適宜のものを用いることができる。また、該把持部１９Ａに取着される該拡大鏡２９Ｂの向きを適宜調節できる構造とすることもできる。
【００２３】
該拡大鏡部材２９は、不使用時には検針作業に支障のないような該棒体４中の上方位置に装着しておき、必要時には該棒体４の先端部など適当な位置に装着して用いることができる。これにより、検針員は立った姿勢のままでもメータのパイロットランプの動作を容易に確認することができ、漏水検査を効率的に行うことができる。また、通常のメータ指示値読取りも、指示値を拡大して観察できるため、容易になる。
【００２４】
本拡大鏡部材２９は、後述の照明部材５９との併用、あるいは後述実施例に係る照明機能との併用により、暗い桝内や、メータが水没した場合における水中での指示値読取りをも容易なものとすることができ、かかる場合の検針作業も迅速、正確かつ効率的に行うことができる。
【００２５】
図中（III）の前記照明部材５９は、把持部５９Ａと照明具５９Ｂとからなる。該把持部５９Ａは、クリップ式の他、ワンタッチ式、バンド式など適宜のものを用いることができる。また、該把持部５９Ａに取着される該照明具５９Ｂの向きを適宜調節できる構造とすることもできる。
【００２６】
該照明具５９Ｂの具体的構成としては、それ自体に電源が内蔵され、ＬＥＤ等の光源を点灯／消灯させるためのスイッチも設けられた構成とすることができる。その他、電源やスイッチは前記グリップ部に設けることとして、該照明具５９Ｂとこれらとを有線もしくは無線で接続する構成とすることもできる。
【００２７】
該照明部材５９は、不使用時には検針作業に支障のないような該棒体４中の上方位置に装着しておき、必要時には該棒体４の先端部など適当な位置に装着して用いることができる。これにより、メータ表示面に対する照明がなされ、指示値読取りが容易となり、検針作業を迅速、正確かつ効率的に行うことができる。前記拡大鏡部材２９との併用も、上述の通り便利である。
【００２８】
図２−２は、音聴用機能を有する本発明水道メータ検針棒２１の要部断面説明図である。図示するように該機能は、前記グリップ部２３を含む該棒体２４に着脱自在の、もしくはそこに設けられた、音聴用耳当て部材２７として構成することができる。これにより、従来のように音聴用にしか使用することのできない音聴棒を別途携帯する必要がない。
【００２９】
図３は、本発明水道メータ検針棒の蓋開閉用フック部の構成例を示す説明図である。図示するように本水道メータ検針棒３１は、該蓋開閉用フック部３２に、メータ桝蓋等の引っ掛かりをよくすることのできる凹凸構造３６を設けたものとすることができる。かかる構成により、本水道メータ検針棒３１を用いてのメータ桝蓋を開く作業は、より容易かつ迅速に行うことができる。図では、該凹凸構造３６は略鋸の刃状となっているが、桝蓋等への引っ掛かりをよくすることができるものである限り、これに限らず適宜の凹凸構造とすることができる。
【００３０】
図４は、本発明水道メータ検針棒のグリップ部の構成例を示す説明図である。図示するように本水道メータ検針棒４１には、操作者が衣服に引っ掛けて携帯することができる携帯用フック部４８を設けるものとすることができる。該携帯用フック部４８を、衣服のベルト等に引っ掛けて、両手を自由にして携帯することができる。上述したように種々の道具を携帯する必要が生じやすい水道メータ検針作業における煩雑さを、これにより軽減することができる。また、検針棒は一般に相当の重量を有するものであるが、その携帯を一層容易化できる。
【実施例】
【００３１】
以下、本発明の実施例を説明する。
＜実施例１＞
図５は、本発明の試作品例６１について示す写真図である。これは、上述の本発明の各特長を含め、さらに別の技術的特長を加えて下記のように構成したが、かかる具体的構成によって本発明が限定されるものではない。
【００３２】
Ａ  棒体６４には直径７ｍｍの丸棒鋼を用いた。これは、テコとしての使用に充分な強度を有し、軽量かつ丈夫で靭性に優れた鋼材を選択したものである。なお、冬期間用としては、メータ桝蓋の凍結に対処するために、たとえば直径９ｍｍのステンレス丸棒鋼など、より強度の高いものを選択することができる。蓋開閉用フック部６２の、メータ桝蓋にあてがわれる面には、凹凸構造を設け、蓋が良好に引っ掛かるようにした。
【００３３】
Ｂ  装着用部材として、ワイパー部材６９、および拡大鏡部材７９を備えることとした。ワイパー部材６９は、ワンタッチ式に棒体６４に着脱できる湾曲板状の把持部６９Ａとゴム製のワイパー６９Ｂから構成した。また拡大鏡部材７９は、これも棒体６４に着脱自在のクリップ状の把持部７９Ａと拡大鏡７９Ｂから構成した。
【００３４】
Ｃ  棒体６４長手方向下方に対して照光するための照明機能６５を設けた。ここで具体的に照明機能６５は、照明具６５１ＡとしてＬＥＤ、電源としてボタン電池（図示せず）を用いてグリップ部６３に内蔵し、スイッチ６５３はグリップ部６３の位置端面部に設けた。電源、照明具６５１Ａおよびスイッチ６５３を接続する電線は、棒体６４内を通して設けた。なお本試作例では、ＬＥＤと電線は金属パテで包み込んで、棒体６４と一体化した。かかる構成により本例水道メータ検針棒６１では、照明機能６５によって、棒体６４長手方向下方に対する照光がなされ、本例水道メータ検針棒６１の長手方向を鉛直方向に支持すれば、下方の水道メータに対して照光がなされ、水道メータ表示部に対する照明がなされる。これにより、読み取りにくいメータ指示値の読取りを簡易、正確かつ迅速に行うことができる。
【００３５】
なお照明具６５１Ａは、光を下方に照射した際に、メータ表示部ガラス面での反射光が使用者の視野に入らないような角度設定で、棒体６４に設けた。
【００３６】
Ｄ  照明機能６５は、水中でも使用可能な構造とした。すなわち本試作例では、照明具６５１Ａ（ＬＥＤ）は棒体６４に溶接したハウジング（６ｍｍ長のナットを用いた）内に挿入し、ビニルボンドを充填することをもって防水処理とした。そしてハウジング先端部にはアクリル樹脂製の透明な栓をキャップとして被せ、ハウジング内に水が浸入しない構造とした。
【００３７】
これにより、メータが水没している場合であっても、水面での光の反射が生じることなく、水中において照光することができ、メータ指示値の読取りは容易に行える構成とすることができた。また、栓の頭部は凸面状に加工することによって、メータに向い充分な照明角度を保持できるよう、照光を拡散させるためのレンズ機能を持たせることができた。
【００３８】
以上のように構成した本試作例は、ａ．ワイパー部材装着により、メータ汚れの拭き取り作業を行える、ｂ．メータのパイロットランプの動作確認が容易で、漏水検査・通常のメータ指示値読取りも容易である、ｃ．暗い桝内でも照明機能によりメータ指示値が読みやすく作業効率が向上する、ｄ．メータが水没していても正確かつ迅速に指示値読取りができる、ｅ．蓋が凍結している場合でも充分な強度と凹凸構造により棒体を変形させることなく容易に蓋を開けることができる、ｆ．携帯に便利である、という特長を示した。すなわち本試作例により、本発明の各効果を充分に確認することができた。
【００３９】
＜実施例２＞
図６は、実施例２の一装着部材についての説明図である。本例では、実施例１同様ワイパー部材、拡大鏡部材を装着用部材として備えた上に、メータ周囲の漏水の有無を音により確認することのできる音聴機能を設けた。音聴機能は、図示するように、棒体を媒体として伝えられる音の伝播を受けるため、グリップ部に設けたナットに挿入するためのネジ部７０を有する音聴用耳当て部材７７とした。これにより、メータ周囲の漏水の有無を音により確認することが可能となった。
【産業上の利用可能性】
【００４０】
本発明の水道メータ検針棒によれば、メータ表示部表面の汚れ等によるメータ指示値の読み取りにくさ、目視確認のしにくさを簡便に解消でき、それにより正確かつ迅速、効率的に検針作業を行うことができる。また、冬期間に桝蓋が凍結した場合であっても容易に蓋を開けることができ、正確かつ迅速に検針作業を行うことができる。さらに、携帯しなくてはならない道具の量を軽減し、作業の迅速性、検針員の労力低減を実現することができる。したがって、主として水道事業とその関連産業上、利用価値が高い発明である。
【図面の簡単な説明】
【００４１】
【図１】本発明の水道メータ検針棒の基本的構成を示す概念図である。
【図２】本発明に係る装着部材の例を示す説明図である。
【図２−２】音聴用機能を有する本発明水道メータ検針棒２１の要部断面説明図である。
【図３】本発明水道メータ検針棒の蓋開閉用フック部３２の構成例を示す説明図である。
【図４】本発明水道メータ検針棒のグリップ部の構成例を示す説明図である。
【図５】本発明の実施例１（試作品例）について示す写真図である。
【図６】実施例２の一装着部材についての説明図である。
【符号の説明】
【００４２】
１、１１、３１、４１…水道メータ検針棒
２、１２、３２…蓋開閉用フック部
３、１３、４３…グリップ部
４、１４、３４、４４…棒体
３６…凹凸構造
４８…携帯用フック部
１９…ワイパー部材、１９Ａ…把持部、１９Ｂ…ワイパー
２９…拡大鏡部材、２９Ａ…把持部、２９Ｂ…拡大鏡
５９…照明部材、５９Ａ…把持部、５９Ｂ…照明具
【００４３】
６１…水道メータ検針棒
６２…蓋開閉用フック部
６３…グリップ部
６４…棒体
６５…照明機能
６５１Ａ…照明具
６５３…スイッチ
６８…携帯用フック部
６９…ワイパー部材、６９Ａ…把持部、６９Ｂ…ワイパー
７９…拡大鏡部材、７９Ａ…把持部、７９Ｂ…拡大鏡
７０…ネジ部
７７…音聴用耳当て部材
【図１】
2006208059.tif 000003
【図２】
2006208059.tif 000004
【図２−２】
2006208059.tif 000005
【図３】
2006208059.tif 000006
【図４】
2006208059.tif 000007
【図５】
2006208059.tif 000008
【図６】
2006208059.tif 000009
【手続補正書】
【提出日】平成17年8月29日(2005.8.29)
【手続補正１】
【補正対象書類名】特許請求の範囲
【補正対象項目名】全文
【補正方法】変更
【補正の内容】
【特許請求の範囲】
【請求項１】
水道メータの検針に用いるための水道メータ検針棒であって、該水道メータ検針棒は、一端側にはメータ桝蓋等を引っ掛けて開くためにテコとして使用できる蓋開閉用フック部が、また他端側にはグリップ部が備えられた棒体と、および該棒体に着脱自在の一または複数の装着用部材とからなり、該装着用部材は、前記棒体を把持するための把持部と、これに取着された機能部とからなり、該一または複数の装着用部材としては、水道メータの表示読取りを容易化することのできる照明部材が含まれていることを特徴とする、水道メータ検針棒。
【請求項２】
前記装着用部材としてはさらに、水道メータ表面を拭くことのできるワイパー部材が含まれていることを特徴とする、請求項１に記載の水道メータ検針棒。
【請求項３】
前記装着用部材としてはさらに、水道メータの表示を拡大して観察することのできる拡大鏡部材が含まれていることを特徴とする、請求項１または２に記載の水道メータ検針棒。
【請求項４】
前記蓋開閉用フック部には、メータ桝蓋等の引っ掛かりをよくすることのできる凹凸構造が設けられていることを特徴とする、請求項１ないし３のいずれかに記載の水道メータ検針棒。
【請求項５】
前記水道メータ検針棒には、操作者が衣服に引っ掛けて携帯することができる携帯用フック部が設けられていることを特徴とする、請求項１ないし４のいずれかに記載の水道メータ検針棒。
【請求項６】
前記棒体には、着脱自在の、もしくは設けられた、音聴用耳当て部材が設けられていることを特徴とする、請求項１ないし５のいずれかに記載の水道メータ検針棒。
【手続補正２】
【補正対象書類名】明細書
【補正対象項目名】００１３
【補正方法】変更
【補正の内容】
【００１３】
（１）  水道メータの検針に用いるための水道メータ検針棒であって、該水道メータ検針棒は、一端側にはメータ桝蓋等を引っ掛けて開くためにテコとして使用できる蓋開閉用フック部が、また他端側にはグリップ部が備えられた棒体と、および該棒体に着脱自在の一または複数の装着用部材とからなり、該装着用部材は、前記棒体を把持するための把持部と、これに取着された機能部とからなり、該一または複数の装着用部材としては、水道メータの表示読取りを容易化することのできる照明部材が含まれていることを特徴とする、水道メータ検針棒。
（２）  前記装着用部材としてはさらに、水道メータ表面を拭くことのできるワイパー部材が含まれていることを特徴とする、（１）に記載の水道メータ検針棒。
（３）  前記装着用部材としてはさらに、水道メータの表示を拡大して観察することのできる拡大鏡部材が含まれていることを特徴とする、（１）または（２）に記載の水道メータ検針棒。
（４）  前記蓋開閉用フック部には、メータ桝蓋等の引っ掛かりをよくすることのできる凹凸構造が設けられていることを特徴とする、（１）ないし（３）のいずれかに記載の水道メータ検針棒。
（５）  前記水道メータ検針棒には、操作者が衣服に引っ掛けて携帯することができる携帯用フック部が設けられていることを特徴とする、（１）ないし（４）のいずれかに記載の水道メータ検針棒。
（６）  前記棒体には、着脱自在の、もしくは設けられた、音聴用耳当て部材が設けられていることを特徴とする、（１）ないし（５）のいずれかに記載の水道メータ検針棒。